(57)【要約】      （修正有）【課題】装着感に優れた空手衣用のズボンを提供する。【解決手段】空手衣用のズボン１は、前身頃２と、後身頃と、股部４と、を有する空手衣用のズボンであって、ズボン１の上端部における左右両側部に形成された左右の切り欠き部５Ｌ、５Ｒと、後身頃の上端部から上方に突出し、ズボン１をユーザが着用した状態でユーザの腰部に接触する腰当て部６と、左右の切り欠き部５Ｌ、５Ｒに各々の根元側の端部が固定され、根元側の幅広部分と先端側の幅細部分とを有する左右の腰紐部７Ｌ、７Ｒと、腰当て部６に固定され、左右の腰紐部７Ｌ、７Ｒの幅広部分が通されるループ部８と、を備え、ズボン１をユーザが着用した状態で、ループ部８の内部は、腰紐部７Ｌ、７Ｒの幅広部分の上端部の少なくとも一部と線接触する。【選択図】図１
0003222577.tif 000002
【実用新案登録請求の範囲】
【請求項１】
前身頃と、後身頃と、股部と、を有する空手衣用のズボンであって、
前記ズボンの上端部における左右両側部に形成された左右の切り欠き部と、
前記後身頃の上端部から上方に突出し、前記ズボンをユーザが着用した状態で当該ユーザの腰部に接触する腰当て部と、
前記左右の切り欠き部に各々の根元側の端部が固定され、前記根元側の幅広部分と先端側の幅細部分とを有する左右の腰紐部と、
前記腰当て部に固定され、前記左右の腰紐部の幅広部分が通されるループ部と、
を備え、
前記ズボンをユーザが着用した状態で、前記ループ部の内部は、前記腰紐部の幅広部分の上端部の少なくとも一部と線接触する、空手衣用のズボン。
【請求項２】
前記股部は、一枚で形成されている、請求項１に記載の空手衣用のズボン。
【請求項３】
前記股部は、四角形状であり、
前記ズボンをユーザが着用した立位姿勢で、前記股部の後側の頂部が前記股部の前側の頂部に対して上側に配置される、請求項１又は２に記載の空手衣用のズボン。
【請求項４】
左右の一方の腰紐部の幅広部分には、左右の他方の腰紐部の幅細部分を通すための孔部が形成されている、請求項１乃至３のいずれか１項に記載の空手衣用のズボン。
【請求項５】
前記左右の腰紐部は、前記ループ部で重なるように当該ループ部に通されて前記ユーザの胴部を囲むように配置され、前記ユーザの下腹部の前側で前記左右の腰紐部の幅細部分の相互が結ばれる、請求項１乃至４のいずれか１項に記載の空手衣用のズボン。
【考案の詳細な説明】
【技術分野】
【０００１】
本考案は、空手衣用のズボンに関し、例えば、前身頃と、後身頃と、股部と、を有する空手衣用のズボンに関する。
【背景技術】
【０００２】
空手衣用のズボンは、蹴りなどの動作をスムーズに行うことができる構成とされていることが重要である。例えば、特許文献１の空手衣用のズボンは、左前身頃と左後身頃とを左脚部生地片を介して縫合し、右前身頃と右後身頃とを右脚部生地片を介して縫合している。そして、特許文献１の空手衣用のズボンは、左脚部生地片及び右脚部生地片をズボンの股下から裾部まで延在させることで、ズボンの股下から裾部に至るまでの部分の縫製が立体的となり、蹴りなどの動作をスムーズに行うことができる構成とされている。
【先行技術文献】
【特許文献】
【０００３】
【特許文献１】特開２００４−２８５５２７号公報
【考案の概要】
【考案が解決しようとする課題】
【０００４】
特許文献１の空手衣用のズボンは、蹴りなどの動作をスムーズに行うことができる構成とされているが、ユーザの腰部への密着性が低いため、装着感が悪い課題を有する。
【０００５】
本考案は、このような問題点に鑑みてなされたものであり、装着感に優れた空手衣用のズボンを実現する。
【課題を解決するための手段】
【０００６】
本考案の一態様に係る空手衣用のズボンは、前身頃と、後身頃と、股部と、を有する空手衣用のズボンであって、
前記ズボンの上端部における左右両側部に形成された左右の切り欠き部と、
前記後身頃の上端部から上方に突出し、前記ズボンをユーザが着用した状態で当該ユーザの腰部に接触する腰当て部と、
前記左右の切り欠き部に各々の根元側の端部が固定され、前記根元側の幅広部分と先端側の幅細部分とを有する左右の腰紐部と、
前記腰当て部に固定され、前記左右の腰紐部の幅広部分が通されるループ部と、
を備え、
前記ズボンをユーザが着用した状態で、前記ループ部の内部は、前記腰紐部の幅広部分の上端部の少なくとも一部と線接触する。
【０００７】
上述の空手衣用のズボンにおいて、前記股部は、一枚で形成されていることが好ましい。
【０００８】
上述の空手衣用のズボンにおいて、
前記股部は、四角形状であり、
前記ズボンをユーザが着用した立位姿勢で、前記股部の後側の頂部が前記股部の前側の頂部に対して上側に配置されることが好ましい。
【０００９】
上述の空手衣用のズボンにおいて、左右の一方の腰紐部の幅広部分には、左右の他方の腰紐部の幅細部分を通すための孔部が形成されていることが好ましい。
【００１０】
上述の空手衣用のズボンにおいて、前記左右の腰紐部は、前記ループ部で重なるように当該ループ部に通されて前記ユーザの胴部を囲むように配置され、前記ユーザの下腹部の前側で前記左右の腰紐部の幅細部分の相互が結ばれることが好ましい。
【考案の効果】
【００１１】
本考案によれば、装着感に優れた空手衣用のズボンを実現することができる。
【図面の簡単な説明】
【００１２】
【図１】実施の形態の空手衣用のズボンを模式的に示す斜視図である。
【図２】実施の形態の空手衣用のズボンを模式的に示す正面図である。
【図３】実施の形態の空手衣用のズボンを模式的に示す背面図である。
【図４】実施の形態の空手衣用のズボンを模式的に示す右側面図である。
【図５】実施の形態の空手衣用のズボンを模式的に示す左側面図である。
【図６】実施の形態の空手衣用のズボンの股部を模式的に示す図である。
【図７】（ａ）は、実施の形態の空手衣用のズボンの股部における前側部分の前側頂点の位置を説明するための図であり、（ｂ）は、股部における後側部分の後側頂点の位置を説明するための図である。
【考案を実施するための形態】
【００１３】
以下、本考案を適用した具体的な実施の形態について、図面を参照しながら詳細に説明する。但し、本考案が以下の実施の形態に限定される訳ではない。また、説明を明確にするため、以下の記載及び図面は、適宜、簡略化されている。
【００１４】
先ず、本実施の形態の空手衣用のズボン（以下、単にズボンと省略する場合がある。）の構成を説明する。図１は、本実施の形態の空手衣用のズボンを模式的に示す斜視図である。図２は、本実施の形態の空手衣用のズボンを模式的に示す正面図である。図３は、本実施の形態の空手衣用のズボンを模式的に示す背面図である。図４は、本実施の形態の空手衣用のズボンを模式的に示す右側面図である。図５は、本実施の形態の空手衣用のズボンを模式的に示す左側面図である。なお、以下の説明では、説明を明確にするために、ユーザが空手衣用のズボンを着用した立位姿勢での当該ズボンの形態を説明する。
【００１５】
本実施の形態のズボン１は、図１乃至図５に示すように、前身頃２、後身頃３、股部４、左右の切り欠き部５Ｌ、５Ｒ、腰当て部６、左右の腰紐部７Ｌ、７Ｒ、及び第１のループ部８を備えている。前身頃２は、図２に示すように、左側前身頃２Ｌ及び右側前身頃２Ｒを備えている。後身頃３は、図３に示すように、左側後身頃３Ｌ及び右側後身頃３Ｒを備えている。
【００１６】
左側前身頃２Ｌの左端部と左側後身頃３Ｌの左端部とは、継ぎ目なく連続している。また、左側前身頃２Ｌの右端部と左側後身頃３Ｌの右端部とは、縫合されている。右前身頃２Ｒの右端部と右側後身頃３Ｒの右端部とは、継ぎ目なく連続している。また、右側前身頃２Ｒの左端部と左側後身頃３Ｒの左端部とは、縫合されている。股部４は、ユーザがズボン１を着用した際に当該ユーザの股に配置される。
【００１７】
図６は、本実施の形態の空手衣用のズボンの股部を模式的に示す図である。図７（ａ）は、本実施の形態の空手衣用のズボンの股部における前側部分の前側頂点の位置を説明するための図であり、図７（ｂ）は、股部における後側部分の後側頂点の位置を説明するための図である。
【００１８】
股部４は、例えば、図６に示すように、前側部分４ａが高さ（即ち、前後方向の長さ）の低い三角形状を基本形態とし、後側部分４ｂが高さの高い三角形状を基本形態とする四角形状である。そして、股部４の前側部分４ａの左側斜辺が左側前身頃２Ｌに縫合されており、股部４の前側部分４ａの右側斜辺が右側前身頃２Ｒに縫合されている。
【００１９】
股部４の後側部分４ｂの左側斜辺が左側後身頃３Ｌに縫合されており、股部４の後側部分４ｂの右側斜辺が右側後身頃３Ｒに縫合されている。その結果、図７（ａ）及び図７（ｂ）に示すように、股部４の後側部分４ｂの後側頂点４ｃの高さ位置Ｐ１は、股部４の前側部分４ａの前側頂点４ｄの高さ位置Ｐ２に比べて、高さＨ、上側に配置されている。
【００２０】
例えば、股部４の後側部分４ｂの後側頂点４ｃの高さ位置Ｐ１は、股部４の前側部分４ａの前側頂点４ｄの高さ位置Ｐ２に比べて、大凡、１０ｃｍ上側に配置されている。これにより、ズボン１をユーザが着用した際に、臀部での弛みが少なく、ユーザが蹴りなどの動作を行った際に、ズボン１のつっぱり感を抑制することができる。
【００２１】
但し、股部４の後側部分４ｂの後側頂点４ｃの高さ位置Ｐ１は、臀部での弛みを抑制できる程度で、股部４の前側部分４ａの前側頂点４ｄの高さ位置Ｐ２に比べて上側に配置されていればよい。
【００２２】
このような股部４は、図６に示すように、一枚の生地で構成されているとよい。これにより、股部４の伸縮性に優れ、ユーザが蹴りなどの動作を行った際に、ズボン１のつっぱり感をより抑制することができる。
【００２３】
左側切り欠き部５Ｌは、図４に示すように、ズボン１の上端部の左側部に形成されており、左側前身頃２Ｌと左側後身頃３Ｌとを跨ぐように配置されている。右側切り欠き部５Ｒは、図５に示すように、ズボン１の上端部の右側部に形成されており、右側前身頃２Ｒと右側後身頃３Ｒとを跨ぐように配置されている。これらの左側切り欠き部５Ｌ及び右側切り欠き部５Ｒは、下方に向かうに従って幅寸法が狭くなる三角形状を基本形態としている。
【００２４】
腰当て部６は、後身頃３の上端部から上方に突出しており、ユーザがズボン１を着用した際に当該ユーザの腰部に接触するように配置されている。このような腰当て部６は、一般的な剣道の袴と同様に、前身頃２、後身頃３及び股部４に比べて、強固であるとよい。但し、腰当て部６は、後身頃３の上端部の全域に配置されている場合に限らず、後身頃３の上端部の一部に配置されていてもよい。
【００２５】
左側腰紐部７Ｌの根元側の端部は、図４に示すように、左側切り欠き部５Ｌの前側斜辺に固定されており、ユーザがズボン１を着用した際に当該ユーザの胴部を後側から巻き込んで下腹部の前側まで到達する長さを有する。左側腰紐部７Ｌは、根元側の幅広部分７ａと先端側の幅細部分７ｂとを備えている。そして、幅広部分７ａは、ユーザがズボン１を着用した際に第１のループ部８まで到達する長さを有する。
【００２６】
右側腰紐部７Ｒの根元側の端部は、図５に示すように、右側切り欠き部５Ｒの前側斜辺に固定されており、ユーザがズボン１を着用した際に当該ユーザの胴部を後側から巻き込んで下腹部の前側まで到達する長さを有する。右側腰紐部７Ｒは、根元側の幅広部分７ｃと先端側の幅細部分７ｄとを備えている。そして、幅広部分７ｃは、ユーザがズボン１を着用した際に第１のループ部８まで到達する長さを有する。
【００２７】
第１のループ部８は、腰当て部６の後面に固定されており、左右方向に貫通している。第１のループ部８の内部の高さは、左側腰紐部７Ｌの幅広部分７ａ及び右側腰紐部７Ｒの幅広部分７ｃの上下方向の幅寸法と略等しい。このような第１のループ部８には、ユーザがズボン１を着用する際に左側腰紐部７Ｌ及び右側腰紐部７Ｒが通される。
【００２８】
ここで、ズボン１は、当該ズボン１の上端部に左側腰紐部７Ｌ又は右側腰紐部７Ｒを通すための第２のループ部９を備えているとよい。このとき、第１のループ部８の左右方向の幅寸法は、第２のループ部９の左右方向の幅寸法に対して広く形成されている。
【００２９】
次に、本実施の形態のズボン１を着用する流れを説明する。先ず、ズボン１の内部にユーザの左右の脚部を通して、腰当て部６をユーザの腰部に接触させる。そして、第１のループ部８及び第２のループ部９に左側腰紐部７Ｌを通して当該左側腰紐部７Ｌでユーザの胴部を後側から巻き込み、ユーザの下腹部の前側に左側腰紐部７Ｌの幅細部分７ｂを配置する。
【００３０】
次に、第１のループ部８及び第２のループ部９に右側腰紐部７Ｒを通して当該右側腰紐部７Ｒでユーザの胴部を後側から巻き込み、ユーザの下腹部の前側に右側腰紐部７Ｒの幅細部分７ｄを配置する。このとき、右側腰紐部７Ｒは、左側腰紐部７Ｌと略重なるように配置される。
【００３１】
そして、左側腰紐部７Ｌの幅細部分７ｂと右側腰紐部７Ｒの幅細部分７ｄとをユーザの下腹部の前側で結ぶと、ズボン１を着用することができる。このようにズボン１を着用した後においては、腰当て部６がユーザの腰部に接触しており、一般的な空手衣用のズボンに比べて、ズボン１の装着感を向上させることができる。しかも、ユーザ毎の腰回りの長さの差を、左側切り欠き部５Ｌ及び右側切り欠き部５Ｒで吸収することができ、ズボン１の装着感をさらに向上させることができる。
【００３２】
このとき、左側腰紐部７Ｌの幅広部分７ａ及び右側腰紐部７Ｒの幅広部分７ｃの少なくとも一部が、当該幅広部分７ａ、７ｃの上下方向の幅寸法と略等しい高さを有する第１のループ部８の内部に配置される。これにより、ユーザが蹴りなどの動作を行った際に、左側腰紐部７Ｌ及び右側腰紐部７Ｒが位置ズレし難く、腰当て部６をユーザの腰部に接触させた状態を良好に維持することができる。
【００３３】
しかも、第１のループ部８の内部に左側腰紐部７Ｌの幅広部分７ａ及び右側腰紐部７Ｒの幅広部分７ｃの少なくとも一部が配置され、第１のループ部８の内部に左側腰紐部７Ｌの幅広部分７ａの上端部及び右側腰紐部７Ｒの幅広部分７ｃの上端部の少なくとも一部が略線接触する。これにより、第１のループ部８の内部で左側腰紐部７Ｌ及び右側腰紐部７Ｒが変形し難く、腰当て部６をユーザの腰部に接触させた状態を良好に維持することができる。なお、第１のループ部８の左右方向の幅寸法は、左側腰紐部７Ｌ及び右側腰紐部７Ｒの変形を抑制できるように設定されていればよい。
【００３４】
ここで、上述のように右側腰紐部７Ｒが左側腰紐部７Ｌと略重なるように配置されるが、下層に配置される左側腰紐部７Ｌの幅細部分７ｂを右側腰紐部７Ｒの幅細部分７ｄと結ぶために、左側腰紐部７Ｌの幅細部分７ｂを右側腰紐部７Ｒに対して上層に配置できるように、右側腰紐部７Ｒの幅広部分７ｃに左側腰紐部７Ｌの幅細部分７ｂを通すための孔部７ｅが形成されているとよい。
【００３５】
これにより、左側腰紐部７Ｌと右側腰紐部７Ｒとが重なった状態を維持しつつ、左側腰紐部７Ｌの幅細部分７ｂを右側腰紐部７Ｒに対して上層に配置できるので、ユーザがズボン１を着用した際の美観を向上させることができる。但し、孔部７ｅは、左側腰紐部７Ｌの幅広部分７ａに形成されていてもよい。また、孔部７ｅは、左側腰紐部７Ｌの幅広部分７ａ及び右側腰紐部７Ｒの幅広部分７ｃの両方に形成されていてもよい。
【００３６】
このようなズボン１は、ユーザがズボン１を着用した際に腰当て部６をユーザの腰部に接触させることができ、一般的な空手衣用のズボンに比べて、ズボン１の装着感が優れている。しかも、ユーザが蹴りなどの動作を行った際に、左側腰紐部７Ｌ及び右側腰紐部７Ｒが位置ズレや変形し難く、腰当て部６をユーザの腰部に接触させた状態を維持することができる。
【００３７】
また、股部４の後側部分４ｂの後側頂点４ｃの高さ位置Ｐ１が、股部４の前側部分４ａの前側頂点４ｄの高さ位置Ｐ２に比べて、高さＨ、上側に配置される場合、ズボン１をユーザが着用した際に、臀部での弛みが少なく、ユーザが蹴りなどの動作を行った際に、ズボン１のつっぱり感を抑制することができる。しかも、股部４が一枚の生地で構成されている場合、股部４の伸縮性に優れ、ユーザが蹴りなどの動作を行った際に、ズボン１のつっぱり感をより抑制することができる。
【００３８】
さらに、右側腰紐部７Ｒの幅広部分７ｃに左側腰紐部７Ｌの幅細部分７ｂを通すための孔部７ｅが形成されている場合、左側腰紐部７Ｌと右側腰紐部７Ｒとが重なった状態を維持しつつ、左側腰紐部７Ｌの幅細部分７ｂを右側腰紐部７Ｒに対して上層に配置できるので、ユーザがズボン１を着用した際の美観を向上させることができる。また、ユーザ毎の腰回りの長さの差を、左側切り欠き部５Ｌ及び右側切り欠き部５Ｒで吸収することができ、ユーザがズボン１を着用した際の美観をさらに向上させることができる。
【００３９】
なお、本考案は上記実施の形態に限られたものではなく、趣旨を逸脱しない範囲で適宜変更することが可能である。
【符号の説明】
【００４０】
１  空手衣用のズボン
２  前身頃、２Ｌ  左側前身頃、２Ｒ  右側前身頃
３  後身頃、３Ｌ  左側後身頃、３Ｒ  右側後身頃
４  股部
４ａ  前側部分、４ｄ  前側頂点
４ｂ  後側部分、４ｃ  後側頂点
５Ｌ  左側切り欠き部
５Ｒ  右側切り欠き部
６  腰当て部
７Ｌ  左側腰紐部、７ａ  幅広部分、７ｂ  幅細部分
７Ｒ  右側腰紐部、７ｃ  幅広部分、７ｄ  幅細部分
７ｅ  孔部
８  第１のループ部
９  第２のループ部
【図１】
0003222577.tif 000003
【図２】
0003222577.tif 000004
【図３】
0003222577.tif 000005
【図４】
0003222577.tif 000006
【図５】
0003222577.tif 000007
【図６】
0003222577.tif 000008
【図７】
0003222577.tif 000009